(57)【特許請求の範囲】
【請求項１】
２線式加入者線路の一方または両方に抵抗または容量を介して誘導される外来電圧の正常性を確認する試験を行う加入者線路試験方法において、
加入者線路の２線間をショートし、
前記ショートした加入者線に、直流電圧源と第１の抵抗と第２の抵抗とグランドとを直列に接続した直列回路の前記第１の抵抗と前記第２の抵抗との接続点を接続することにより、前記第１の抵抗及び前記第２の抵抗により前記直流電圧源の電圧を分圧して生成された測定用電圧を印加し、
前記第１の抵抗を流れる電流に基づいて、前記加入者線路の正常性を確認する試験を行うものであり、
前記加入者線路を第３の抵抗を介してグランドと接続する線路に設置された第１のスイッチをオンにし、前記２線間をショートする線路に設置された第２のスイッチをオフにし、前記第２の抵抗をグランドと接続する線路に設置された第３のスイッチをオフとすることにより非試験状態とし、
前記第１のスイッチをオフにし、前記第２のスイッチをオンにし、前記第３のスイッチをオンにすることにより前記加入者線の２線間をショートして試験状態とすることを特徴とする加入者線路試験方法。
【請求項２】
請求項１記載の加入者線路試験方法において、
前記第１の抵抗及び前記第２の抵抗の抵抗値を、前記測定電圧がノーリンギング通信サービス用端末が動作する電圧より低くなるように設定することを特徴とする加入者線路試験方法。
【請求項３】
請求項１記載の加入者線路試験方法において、
前記第１の抵抗を流れる電流を演算器により検出演算することにより、前記外来電圧の大きさを測定することを特徴とする加入者線路試験方法。
【発明の詳細な説明】
【０００１】
【発明の属する技術分野】
本発明は、加入者線路試験方法に係り、特に、電話機等の２線式メタリック加入者線（以下、加入者線路という）を通信媒体として使用している通信システムにおいて、加入者線路に抵抗または容量を介して誘導される電圧成分（以下、外来電圧という）の正常性を確認する試験を行う加入者線路試験方法に関する。
【０００２】
【従来の技術】
近年、光ファイバーケーブルによる通信網整備の一貫として、加入者端末は、メタリック加入者線路を介しユーザビル等の加入者インタフェース装置に収容され、加入者インタフェース装置から光ファイバーケーブルを介して交換局舎に収容される形態がとられている。
【０００３】
一方、加入者線路の測定に関する従来技術として、例えば、「施設」（Vol.34 No.1、「新しい試験台方式の概要」） 、特開平４−８４８号公報等に記載された技術が知られている。これらの従来技術は、加入者回線で発生している各種異常状態（外来電圧、地絡、混触）を試験するために、加入者回路とは別に設けられた専用試験装置を設け、被試験対象の加入者線路をスイッチにより切り替えて試験を行うというものである。また、この従来技術は、測定時に、２線の加入者線をＡ線、Ｂ線別々に測定しているため、加入者側から見た極性が反転するものである。
【０００４】
また、ノーリンギング通信サービス用端末は、Ａ線−Ｂ線間の電圧がある電圧（局給電電圧５０Ｖより低い電圧）以上または線間電圧の極性が反転（以下、転極という）する場合に誤起動する場合があるため、従来技術による試験方法は、ノーリンギング通信サービス用端末を備えた加入者線路の試験を正常に行うことができない場合があった。
【０００５】
【発明が解決しようとする課題】
前述したように、加入者線路の従来技術による試験方法は、加入者線路の正常性を確認するために専用の試験装置を用いる必要があった。また、従来技術による試験方法は、試験中の加入者側のＡ線−Ｂ線間電圧がある一定の電圧以上で転極した場合、ノーリンギング通信サービス用端末が誤起動することがあるため、加入者線路の正常性を正しく測定することができないという問題点を有している。特に、従来技術は、約５０Ｖ程度の測定用の直流電圧を必要としており、加入者線路測定装置に電力部品が必要となり集積回路化が困難であるという問題点を有している。
【０００６】
本発明の目的は、前述した従来技術の問題点を解決し、従来技術の場合と同等な精度で加入者線路の正常性を測定することが可能で、かつ、ユーザビル等に設置している加入者インタフェース装置（加入者回路）内に搭載可能で、加入者インタフェース装置が電柱等屋外に設置される場合にも適用可能で、加入者インタフェース装置を小型化、経済化することができる加入者線路試験方法を提供することにある。
【０００７】
【課題を解決するための手段】
本発明によれば前記目的は、２線式加入者線路の一方または両方に抵抗または容量を介して誘導される外来電圧の正常性を確認する試験を行う加入者線路試験方法において、加入者線路の２線間をショートし、前記ショートした加入者線に、直流電圧源と第１の抵抗と第２の抵抗とグランドとを直列に接続した直列回路の前記第１の抵抗と前記第２の抵抗との接続点を接続することにより、前記第１の抵抗及び前記第２の抵抗により前記直流電圧源の電圧を分圧して生成された測定用電圧を印加し、前記第１の抵抗を流れる電流に基づいて、前記加入者線路の正常性を確認する試験を行うものであり、前記加入者線路を第３の抵抗を介してグランドと接続する線路に設置された第１のスイッチをオンにし、前記２線間をショートする線路に設置された第２のスイッチをオフにし、前記第２の抵抗をグランドと接続する線路に設置された第３のスイッチをオフとすることにより非試験状態とし、前記第１のスイッチをオフにし、前記第２のスイッチをオンにし、前記第３のスイッチをオンにすることにより前記加入者線の２線間をショートして試験状態とすることにより達成される。
【０００８】
また、前記目的は、前記第１の抵抗及び前記第２の抵抗の抵抗値を、前記測定電圧がノーリンギング通信サービス用端末が動作する電圧より低くなるように設定することにより、また、前記第１の抵抗を流れる電流を演算器により検出演算することにより、前記外来電圧の大きさを測定することにより達成される。
【００１０】
【発明の実施の形態】
以下、本発明による加入者線路試験方法及び加入者インタフェース装置の実施形態を図面により詳細に説明する。
【００１１】
図１は本発明の一実施形態による加入者線路試験を行う回路を含む加入者インタフェース装置の構成を示す回路図、図２は図１に示すと同一の加入者インタフェース装置で、交流の外来電圧が加入者側の２線の一方に抵抗ＲＧを介して誘導された場合の例を示す図、図３は測定時の各スイッチの状態と、外来電圧の検出の様子とを説明する図である。図１に示す回路例は、ノイズである交流外来電圧ＶＡＣが、Ａ線１、Ｂ線２間の容量ＣＡＢを介して、また、Ａ線１、グランド間の容量ＣＡＧと、Ｂ線２、グランド間の容量ＣＢＧとの中点から注入されるものとして示している。図１、図２において、１は加入者線路（Ａ線） 、２は加入者線路（Ｂ線） 、３は加入者回路、４は加入者端末、５は演算器、Ｒ２〜Ｒ４は抵抗、ＣＴＥＬは加入者端末容量、ＣＡＢは線間容量、ＣＡＧはＡ線１とグランドとの間の容量、ＣＢＧはＢ線２とグランドとの間の容量、Ｓ２〜Ｓ５はスイッチである。
【００１２】
なお、図１、図２に示す加入者インタフェース装置は、外来電圧が注入される位置が異なるだけで、回路構成は同一であるので、以下の回路構成の説明、及び、測定動作の説明は、図１を参照して行うこととする。
【００１３】
加入者インタフェース装置である加入者回路３は、２本の加入者線路であるＡ線１、Ｂ線２に接続されており、Ａ線１、Ｂ線２間には加入者端末４が接続されている。図１には、加入者端末の回路を示していないが、公知の電話機等であってよい。そして、図１には、加入者端末４の等価容量である加入者端末容量ＣＴＥＬが示されている。また、Ａ線１、Ｂ線２には線間容量ＣＡＢが存在する。
【００１４】
加入者回路３は、本発明の実施形態による測定のために、試験電圧を定める抵抗Ｒ２と、測定時に制御されるスイッチＳ２〜Ｓ５と、測定信号を出力する演算器５とが備えられ、非測定時に加入者端末への給電路を形成する直流電源ＶＢＢ、抵抗Ｒ３、Ｒ４を有し、さらに他の公知の加入者インタフェース装置を構成する図示しない回路を備えて構成されている。前述のように構成される加入者インタフェース装置において、非測定時、スイッチＳ３、Ｓ４のみをオンの状態として、加入者端末４に、グランド、抵抗Ｒ４、Ａ線１、加入者端末４、Ｂ線２、抵抗Ｒ３、直流電源ＶＢＢのループにより給電が行われる。また、加入者端末４で送受信される音声信号は、図１に示すＡ点とＢ点との間に接続される図示しないトランスを介して授受される。なお、非測定時、演算器５の２つの入力端は、ハイインピーダンスとされて、通話に影響がないように制御されている。
【００１５】
次に、図１に示すように構成される測定回路を含む加入者回路３における加入者線路の試験方法について説明する。
【００１６】
試験時、スイッチＳ５をオンとし、演算器５を動作可能な状態とすると、抵抗Ｒ２、Ｒ３により直流電源ＶＢＢが分圧された測定用の電圧が試験線路に印加可能な状態になる。次に、スイッチＳ２、Ｓ４を閉じる。この結果、Ａ線１とＢ線２とがショートされ、前述の抵抗Ｒ２、Ｒ３により直流電源ＶＢＢが分圧された測定用の電圧がＡ線１とＢ線２とに印加される。演算器５は、Ａ線１とＢ線２とをショートさせた直流電位を決定する分圧抵抗Ｒ２、Ｒ３に流れる電流を検出演算して信号Ｖｊを出力する。この出力信号Ｖｊの大きさを検出することにより、Ａ線１とＢ線２とに注入される外来電圧の大きさを知ることができ、加入者線路の正常性を測定することができる。
【００１７】
図１に示す例では、交流外来電圧ＶＡＣが、Ａ線１、Ｂ線２間の容量ＣＡＢ、及び、Ａ線１、グランド間の容量ＣＡＧと、Ｂ線２、グランド間の容量ＣＢＧの中点から注入されるとしており、次に、図３を参照して、測定時の各スイッチの状態と、外来電圧の検出の様子とを説明する。
【００１８】
図３には、複数の測定区間における各スイッチＳ２〜Ｓ４のオン、オフの状態と、外来電圧ＶＡＣ及び演算器５の出力信号Ｖｊの波形が示されている。そして、図３に示す区間の全区間にわたって、スイッチＳ３は、オフ状態に保持されており、また、図３には示していないスイッチＳ５は、オン状態に保持されている。
【００１９】
区間Ｔ１は、加入者回路３の給電ループが断たれて、試験を開始する状態になった区間であり、演算器５は、試験端に接続されておらず、出力信号Ｖｊは、所定の直流電圧を示している。
【００２０】
次に、区間Ｔ２で、スイッチＳ２、Ｓ４をオンとしてＡ線１とＢ線２とをショートし、Ａ線１とＢ線２とに直流の試験電圧を印加する。このとき印加する直流電位は、直流電源ＶＢＢの電圧を分圧する抵抗Ｒ２、Ｒ３により決定され、
ＶＢＢ×｛Ｒ２／（Ｒ２＋Ｒ３）｝で表現することができ、この電圧は、ノーリンギング通信サービス用端末が動作する電圧Ｖｎ以下でなければならない。すなわち、Ｖｎ＞ＶＢＢ×｛Ｒ２／（Ｒ２＋Ｒ３）｝を満たすように、抵抗Ｒ２、Ｒ３の値が設定される。そして、演算器５は、Ａ線１、Ｂ線２間の容量ＣＡＢ、及び、Ａ線１、グランド間の容量ＣＡＧと、Ｂ線２、グランド間の容量ＣＢＧの中点から注入される交流外来電圧ＶＡＣを検出して、信号Ｖｊを出力する。この出力信号Ｖｊは、外来電圧ＶＡＣの電圧をＬＳＩが処理することができる電圧までアッテネートした電圧とされている。
【００２１】
区間Ｔ３で、スイッチＳ２〜Ｓ４の全てがオフとされて判定が行われる。区間Ｔ２に演算器５から出力される信号Ｖｊの電圧は、ＶＡＣに比例するため（Ｖｊ∝ＶＡＣ）、予め定めた判定値Ｖｔｈより大きければ異常、小さければ正常と判断するようにすることにより、加入者線路の正常性を判断することができる。
【００２２】
前述では、図１を参照して、Ａ線１、Ｂ線２間の容量ＣＡＢ、及び、Ａ線１、グランド間の容量ＣＡＧと、Ｂ線２、グランド間の容量ＣＢＧの中点から注入される交流外来電圧ＶＡＣを測定するものとして説明したが、図２に示すように、交流の外来電圧が加入者側の２線の一方に抵抗ＲＧを介して誘導された場合、本発明の実施形態は、Ａ線とＢ線とをショートして同電位にして測定を行うため、加入者線路の一方に交流外来電圧ＶＡＣが注入された場合にも、図３により説明した場合と全く同一に測定を行なうことができ、加入者線路の正常性を判断することができる。
【００２３】
図４は図１に示すと同一の加入者インタフェース装置で、直流の外来電圧ＶＢＢが加入者側の２線の一方に抵抗ＲＧを介して接続された場合の例を示す図、図５は測定時の各スイッチの状態と、外来電圧の検出の様子とを説明する図である。図４における符号は、図１、図２の場合と同一である。なお、図４に示す例において、直流の外来電圧ＶＢＢが加入者側の２線の両方に接続された場合も同一の動作となる。また、図５に示すように、測定時の各区間Ｔ１〜Ｔ３におけるスイッチＳ２〜Ｓ５の制御手順も、図３に説明した場合と同様に行われる。
【００２４】
そして、この例で、前述までに説明した例と相違する点は、区間Ｔ２において、演算器５からの出力信号Ｖｊが、直流の電圧であり、接続される外来電圧源ＶＢＢの電圧をＬＳＩが処理できる電圧までアッテネートした電圧である点である。この場合、出力信号Ｖｊの大きさは、抵抗Ｒ２、Ｒ３、ＲＧの分圧比で示される電圧に比例した値となり、
Ｖｊ∝ＲＧ・Ｒ３／｛Ｒ２（ＲＧ＋Ｒ３）＋ＲＧ・Ｒ３｝
として示される。
【００２５】
その後、前述の場合と同様に、区間Ｔ３で、Ｖｊの値が予め定められた判定値Ｖｔｈより大きければ異常、小さければ正常と判断し、加入者線路の正常性の確認することができる。
【００２６】
前述した加入者線路の正常性を判定する判定値Ｖｔｈは、前述で説明した各種の外来電圧の加入者線路への誘導あるいは接続によるものが共存する場合を組み合わせることにより、全ての状態の外来電圧を満足する判定値Ｖｔｈを見い出すことができる。
【００２７】
前述した本発明の実施形態によれば、ノーリンギング通信サービス用端末を動作させることなく、また、加入者端末を鳴動させることなく、従来技術の場合と同等な精度で加入者線路の正常性を測定することができる。また、本発明の実施形態による測定回路は、ユーザビル等に設置している加入者インタフェース装置（加入者回路）内に設置可能で、加入者インタフェース装置が電柱等屋外に設置される場合にも装置内に設置することができ、加入者インタフェース装置を小型化、経済化することができる。
【００２８】
【発明の効果】
以上説明したように本発明によれば、ノーリンギング通信サービス用端末を動作させることなく、また、加入者端末を鳴動させることなく加入者線路の試験を行うことができる。
【図面の簡単な説明】
【図１】本発明の一実施形態による加入者線路試験を行う回路構成を示す図である。
【図２】図１に示すと同一の回路構成で、交流の外来電圧が加入者側の２線の一方に抵抗ＲＧを介して誘導された場合の例を示す図である。
【図３】測定時の各スイッチの状態と、外来電圧の検出の様子とを説明する図である。
【図４】図１に示すと同一の回路構成で、直流の外来電圧ＶＢＢが加入者側の２線の一方に抵抗ＲＧを介して接続された場合の例を示す図である。
【図５】図４の場合の測定時の各スイッチの状態と、外来電圧の検出の様子とを説明する図である。
【符号の説明】
１  加入者線路（Ａ線）
２  加入者線路（Ｂ線）
３  加入者回路
４  加入者端末
５  演算器
Ｒ２〜Ｒ４  抵抗
ＣＴＥＬ  加入者端末容量
ＣＡＢ  線間容量
ＣＡＧ  Ａ線１とグランドとの間の容量
ＣＢＧ  Ｂ線２とグランドとの間の容量
Ｓ２〜Ｓ５  スイッチ
【図１】
0004246955.tif 000002
【図２】
0004246955.tif 000003
【図３】
0004246955.tif 000004
【図４】
0004246955.tif 000005
【図５】
0004246955.tif 000006